(57)【特許請求の範囲】
【請求項１】
移動通信システムの電力制御方法において、
移動局から通話要求がある時、移動通信システムでサービスされる複数の通話形態中で、前記通話要求に対応する通話形態を選択する過程と、
前記選択された通話形態に対応する電力制御パラメータ値を発生する過程と、
前記発生された電力制御パラメータ値を前記移動局に伝送する過程と
からなり、
前記通話形態は、移動局間の通話及び移動局と有線電話間の通話を含み、前記有線電話は電話網に有線に接続される電話であることを特徴とする移動通信システムの電力制御方法。
【請求項２】
移動通信システムの電力制御方法において、
通話要求を受信する過程と、
移動通信システムでサービスされるすべての通話形態に対する電力制御パラメータを貯蔵する内部メモリを有する基地局が、前記通話要求に対応する通話形態を選択する過程と、
前記選択された通話形態に対応する電力制御パラメータ値を前記メモリから読み出す過程と、
前記読み出された電力制御パラメータ値を外部循環電力制御を遂行するために移動局に伝送する過程と
からなり、
前記通話形態は、移動局間の通話及び移動局と有線電話間の通話を含み、前記有線電話は電話網に有線に接続される電話である移動通信システムの電力制御方法。
【請求項３】
前記通話形態は、移動局から受信される通話要求メッセージによる相手方の電話番号と、外部使用者から受信される通話要求による前記外部使用者の電話番号により選択される請求項２に記載の移動通信システムの電力制御方法。
【請求項４】
前記電力制御パラメータ値を供給する過程は、
前記通話形態が移動局間の通話である場合、前記基地局が移動局間の通話に対応する電力制御パラメータ値を前記内部メモリから読み出す過程と、
前記読み出された電力制御パラメータ値をサービス連結メッセージに適用する過程と、
前記サービス連結メッセージを移動局に伝送する過程と
からなる請求項３に記載の移動通信システムの電力制御方法。
【請求項５】
前記電力制御パラメータ値を供給する過程は、
前記通話形態が移動局と有線電話間の通話である場合、前記基地局が移動局と有線電話間の通話に対応する電力制御パラメータ値を前記内部メモリから読み出す過程と、
前記読み出された電力制御パラメータ値をサービス連結メッセージに適用する過程と、
前記サービス連結メッセージを移動局に伝送する過程と
からなる請求項３に記載の移動通信システムの電力制御方法。
【請求項６】
前記電力制御パラメータ値は、外部循環電力制御を遂行するかを設定する値と、目標フレーム当たり発生する誤り値(ＦＥＲ)と、送信電力の最小値と、送信電力の最大値とからなる請求項４に記載の移動通信システムの電力制御方法。
【請求項７】
前記基地局は、前記読み出された電力制御パラメータ値により外部循環電力制御を遂行する過程をさらに備える請求項６に記載の移動通信システムの電力制御方法。
【請求項８】
移動通信システムの電力制御方法において、
移動局が基地局から通話形態を受信する過程と、
前記移動局が、移動通信システムでサービスされるすべての通話形態による電力制御パラメータ値中で、前記受信された通話形態に対応する電力制御パラメータ値を発生する過程と、
前記移動局が、前記発生された電力制御パラメータ値により外部循環電力制御を遂行する過程と
からなり、
前記通話形態は、移動局間の通話及び移動局と有線電話間の通話を含み、前記有線電話は電話網に有線に接続される電話である移動通信システムの電力制御方法。
【請求項９】
移動通信システムの電力制御方法において、
移動通信システムでサービスされるすべての通話形態に対する電力制御パラメータ値を貯蔵するメモリを有する移動局が、基地局から通話形態を受信する過程と、
前記移動局が、前記受信された通話形態に対応する電力制御パラメータ値を前記メモリから読み出す過程と、
前記読み出された電力制御パラメータ値により外部循環電力制御を遂行する過程と
からなり、
前記通話形態は、移動局間の通話及び移動局と有線電話間の通話を含み、前記有線電話は電話網に有線に接続される電話であることを特徴とする移動通信システムの電力制御方法。
【請求項１０】
基地局との通話チャネルの形成前に、メッセージを通じて前記基地局から通話形態に対応する前記電力制御パラメータ値を受信し、前記内部メモリに前記受信された電力制御メッセージを貯蔵する過程をさらに含む請求項９に記載の移動通信システムの電力制御方法。
【請求項１１】
前記予め設定されたメッセージは、ページングチャネルを通じて伝送されるメッセージである請求項１０に記載の移動通信システムの電力制御方法。
【請求項１２】
前記予め設定されたメッセージは、順方向接近チャネルを通じて伝送されるメッセージである請求項１０に記載の移動通信システムの電力制御方法。
【請求項１３】
移動通信システムの電力制御方法において、
移動局から通話要求を受信する過程と、
移動通信システムでサービスされるすべての通話形態と通話品質による電力制御パラメータ値を貯蔵するメモリを有する基地局が、前記通話要求に対応する通話形態を選択する過程と、
前記移動局の通話要求により通話品質を設定する過程と、
前記選択された通話形態と前記設定された通話品質に対応する電力制御パラメータ値を前記メモリから読み出す過程と、
前記読み出された電力制御パラメータ値を外部循環電力制御を遂行するために移動局に供給する過程と
からなり、
前記通話形態は、移動局間の通話及び移動局と有線電話間の通話を含み、前記有線電話は電話網に有線に接続される電話であることを特徴とする移動通信システムの電力制御方法。
【請求項１４】
前記通話形態は、前記移動局が通話しようとする相手方の電話番号により選択される請求項１３に記載の移動通信システムの電力制御方法。
【請求項１５】
前記通話品質は、高品質の通話及び一般的な通話を含む請求項１３に記載の移動通信システムの電力制御方法。
【請求項１６】
前記電力制御パラメータ値は、外部循環電力制御を遂行するかを設定する値と、目標フレーム当たり発生する誤り値(ＦＥＲ)と、送信電力の最小値と、送信電力の最大値と、からなる請求項１５に記載の移動通信システムの電力制御方法。
【請求項１７】
前記基地局は、前記読み出された電力制御パラメータ値により外部循環電力制御を遂行する過程をさらに備える請求項１６に記載の移動通信システムの電力制御方法。
【請求項１８】
移動通信システムの基地局において、
前記移動通信システムでサービスされるすべての通話形態に対する電力制御パラメータ値を貯蔵するメモリと、
通話要求がある時、前記通話要求に対応する通話形態に対する電力制御パラメータ値を前記メモリから読み出す制御器と、
前記読み出された電力制御パラメータ値を前記制御器の制御により所定メッセージに適用し、前記メッセージを移動局に伝送するメッセージ発生器と
からなり、
前記通話形態は、移動局間の通話及び移動局と有線電話間の通話を含み、前記有線電話は電話網に有線に接続される電話であることを特徴とする移動通信システムの電力制御装置。
【請求項１９】
前記電力制御パラメータ値は、外部循環電力制御を遂行するかを設定する値と、目標フレーム当たり発生する誤り値(ＦＥＲ)と、送信電力の最小値と、送信電力の最大値と、からなる請求項１８に記載の移動通信システムの電力制御装置。
【請求項２０】
移動通信システムの移動局において、
前記移動通信システムでサービスされるすべての通話形態に対する電力制御パラメータ値を貯蔵するメモリと、
基地局から受信される通話形態に対応する電力制御パラメータ値を前記メモリから読み出す制御器と、
前記読み出された電力制御パラメータ値により外部循環電力制御を遂行する電力制御器と
からなり、
前記通話形態は、移動局間の通話及び移動局と有線電話間の通話を含み、前記有線電話は電話網に有線に接続される電話であることを特徴とする移動通信システムの電力制御装置。
【請求項２１】
前記メモリに貯蔵された電力制御パラメータ値は、ページングチャネルを通じて前記基地局から受信される請求項２０に記載の移動通信システムの電力制御装置。
【請求項２２】
前記メモリに貯蔵された電力制御パラメータ値は、順方向接近チャネルを通じて前記基地局から受信される請求項２１に記載の移動通信システムの電力制御装置。
【発明の詳細な説明】
【０００１】
【発明の属する技術分野】
本発明は移動通信システムに関するもので、特に符号分割多重接続(Code Division Multiple Access：以下、ＣＤＭＡ)方式の移動通信システムで移動局間の通話品質を改善するための電力制御装置及び方法に関する。
【０００２】
【従来の技術】
通常的なＣＤＭＡシステムで移動局と既存有線電話との通話は、移動局と基地局、基地局と既存有線電話網に信号が伝送されるが、この中で基地局と既存有線電話網間の信号伝送は有線に連結されているので、誤り確率が非常に低い。従って、前記移動局と既存有線電話との全体通話品質は、移動局と基地局間の通話状態に大いに依存する。
【０００３】
一方、移動局間の通話は、信号が第１移動局と第１基地局間の第１リンク、第１基地局と第２基地局間の第２リンク、さらに第２基地局と第２移動局間の第３リンクを通じて伝送される。この場合は前記移動局と既存有線電話との通話とは異なり、移動局と基地局間の通話連結が２度にかけているので、これによる通話品質の低下が前記移動局と有線電話間の通話品質に比べて大きくなる。
【０００４】
図１Ａは通常的な電力制御方式を使用する場合、移動局と有線電話間の通話を示す図であり、図１Ｂは通常的な電力制御方式を使用する場合、移動局間の通話を示す図である。前記図１Ａ及び図１Ｂを参照すると、従来には電力制御のため移動局と基地局間に提供されるフレーム当たり発生する誤り(Frame Error Rate:以下、ＦＥＲ)に固定した値を使用した。前記ＦＥＲは通常的に移動通信システムで通話品質を示す一つの基準に使用される。
【０００５】
例えば、移動局と有線電話間の通話では、移動局１０１と基地局１０２間にｘ％の固定したＦＥＲを有しており、基地局１０２と有線電話１０３間は有線に連結されて、誤り確率がないと仮定すると、前記図１Ａの移動局１０１と有線電話１０３間の通話品質はｘ％のＦＥＲを有する。しかし、図１Ｂの移動局１０４と移動局１０７間の通話品質は、移動局１０４と基地局１０５間の通話品質がｘ％のＦＥＦであり、基地局１０６と移動局１０７間の通話品質もｘ％のＦＥＲであるので、２％のＦＥＲになる。図１Ａの有線接続のように、基地局１０５と基地局１０６間の有線接続は０のＦＥＲを有する。
【０００６】
即ち、従来には移動局間、または移動局と有線電話間の通話であるかに関わらず、同一なＦＥＲを利用して電力制御を遂行した。そのため、従来の主に音声信号のみを送受信する移動通信システムで、移動局間の通話時、通話品質が非常に低下される問題が発生した。特に、移動局間に映像信号、データ信号及びパケット(packet)信号などをやり取りする第３世代移動通信システムの場合には、移動局間に通話品質が低下されると、良質の通話品質を要求する映像信号とデータ通信ではさらに大きな問題になり、移動局間にパケット信号をやり取りする場合には、再伝送すべきである回数が増加する問題が発生した。
【０００７】
【発明が解決しようとする課題】
従って、上述した問題点を解決するための本発明の目的は、移動局間の通話時にも、移動局と有線電話間の通話品質以上を維持するようにする電力制御装置及び方法を提供することにある。
【０００８】
本発明の他の目的は、通話を遂行している端末の形態に従って、差別化された電力制御を遂行する電力制御装置及び方法を提供することにある。
【０００９】
本発明のさらに他の目的は、基地局から提供される通話形態に対応する電力制御パラメータ値に従って、移動局が電力制御を遂行する電力制御装置及び方法を提供することにある。
【００１０】
本発明のさらに他の目的は、基地局から提供された通話形態に対応する電力制御パラメータ値を読み出して、移動局が外部循環電力制御を遂行する電力制御装置及び方法を提供することにある。
【００１１】
本発明のさらに他の目的は、移動局使用者の要求により一般的な通話要求であるか、高品質の通話要求であるかに従って、相異なる電力制御パラメータ値を使用して電力制御を遂行する電力制御装置及び方法を提供することにある。
【００１２】
【課題を解決するための手段】
このような目的を達成するために本発明の一実施形態は、移動通信システムの電力制御装置及び方法を提供する。通話要求がある時、基地局は前記通話要求に対応する通話形態を選択する。前記基地局は移動通信システムでサービスされるすべての通話形態に対する電力制御パラメータ値を貯蔵するメモリを有する。前記基地局は前記メモリから前記選択された通話形態に対応する電力制御パラメータ値を読み出し、前記読み出された電力制御パラメータ値を移動局に供給して外部循環電力制御を遂行するようにする電力制御装置及び方法を具現する。
【００１３】
また、このような目的を達成するために本発明の他の実施形態は、移動通信システムの電力制御装置及び方法を提供する。移動局は基地局から通話形態を受信する。前記移動局は移動通信システムでサービスされるすべての通話形態に対する電力制御パラメータ値を貯蔵するメモリを有する。前記移動局は前記メモリから受信された通話形態に対応する電力制御パラメータ値を読み出し、前記読み出された電力制御パラメータ値に従って外部循環電力制御を遂行するようにする電力制御装置及び方法を具現する。
【００１４】
なお、このような目的を達成するために本発明のさらに他の実施形態は、移動通信システムの電力制御装置及び方法を提供する。移動局から通話要求があると、基地局は通話要求に対応する通話形態を選択する。前記基地局は移動通信システムでサービスされるすべての通話形態と通話品質に従って、電力制御パラメータ値を貯蔵するメモリを有し、前記移動局の要請時、通話品質を設定する。その後、前記基地局は前記メモリから選択された通話形態と設定された通話品質に対応する電力制御パラメータ値を読み出し、前記読み出された電力制御パラメータ値を移動局に供給して外部循環電力制御を遂行するようにする電力制御装置及び方法を具現する。
【００１５】
【発明の実施の形態】
以下、本発明の望ましい実施形態を添付図を参照しつつ詳細に説明する。下記の説明において、本発明の要旨のみを明瞭にする目的で、関連した公知機能又は構成に関する具体的な説明は省略する。
【００１６】
通常的に移動通信システムで通話品質を改善する方法には、受信器に性能改善のための各種装置を付加する方法もあるが、本発明では電力制御(Power Control)を利用して通話品質を改善する方法を提示する。
【００１７】
前記通話品質を改善するために移動通信システムで遂行される電力制御は、開ループ電力制御(Open Loop Power Control)、閉ループ電力制御(Closed Loop Power Control)、外部循環電力制御(Outer Loop Power Control)のように３種類に区分される。
【００１８】
１番目に、開ループ電力制御は、移動局が基地局送信信号の信号対雑音比(Signal to Noise Ratio:以下、ＳＮＲ)を測定し、基地局は移動局送信信号のＳＮＲを測定して、前記ＳＮＲに反比例するように送信信号の強さを決定して送信する方式である。
【００１９】
２番目に、閉ループ電力制御は、受信された信号のＳＮＲを一定に維持するために使用される。先ず、電力制御のためのスレショルド値が決定される。受信された信号のＳＮＲがスレショルドより高い場合、基地局(または移動局)が移動局(または基地局)に送信電力を一定したレベル(level)だけ下げろとの命令を伝送し、スレショルドより低い場合には、基地局(または移動局)が移動局(または基地局)に送信電力を一定したレベル(level)だけ上げろとの命令を伝送する。
【００２０】
３番目に、外部循環電力制御は、受信される信号のＦＥＲを見て、誤りが発生すると、前記閉ループ電力制御で要求されるスレショルド(電力制御スレショルド)を一定レベル上げ、誤りが発生しないと、電力制御スレショルドを一定レベル下げる方式である。これをより具体的に説明すると、前記外部循環電力制御を遂行する場合、目標とするＦＥＲを決定すべきであり、電力制御スレショルドを上げるレベルと下げるレベルを決定すべきである。例えば、目標とするＦＥＲを１％とし、電力制御スレショルドを上げるレベルを０．５dBとすると、電力制御スレショルドを下げるレベルは(０．５/９９)dBに決定される。このような方式に設定した後、ＦＥＲに該当する誤りが発生すると、電力制御スレショルドを０．５dB上げ、発生しないと、(０．５/９９)dBだけ下げるようになる。従って、上述した外部循環電力制御方式に電力制御を遂行すると、目標とするＦＥＲを獲得することができる。即ち、前記スレショルドを上げるレベル(上昇レベル)は、基地局と移動局間に予め設定された値であり、前記スレショルドを下げるレベル(下降レベル)は、前記目標とするＦＥＲが設定されると、上述したように前記上昇レベルと前記目標とするＦＥＲを利用して決定する。また、前記外部循環電力制御で送信する信号の強さを無限に上げるか、下げることを防止するために、追加に送信信号強さの上限線と下限線を設定して、その以上に上げるか、下げることを防止するようにした。
【００２１】
しかし、前記外部循環電力制御に従って電力制御スレショルドのみを上げるとか、下げるだけでは通話品質の改善が不可能であるので、前記外部循環電力制御により決定されたスレショルドと受信信号のＳＮＲを比較して送信電力を上げろとか下げろとかする電力制御命令を送信する閉ループ電力制御を共に遂行すべきである。
【００２２】
本発明は外部循環電力制御に関するもので、移動局と有線電話間の通話、または移動局間の通話に従って相異なるＦＥＲを通じて外部循環電力制御を遂行することによって、通話形態に関わらず常に一定した通話品質を得るようにするものである。
【００２３】
図２Ａ及び図２Ｂはこれを概念的に示している。前記図２Ａは本発明の実施形態による移動局と有線電話間の通話による外部循環電力制御を簡略に示している図であり、図２Ｂは本発明の実施形態による移動局間の通話による外部循環電力制御を簡略に示している図である。
【００２４】
前記図２Ａ及び図２Ｂを参照すると、本発明では移動局２０１と有線電話２０３間に通話が連結される場合には、既存の方法のように移動局２０１と基地局２０２間のＦＥＲをｘ％に設定する。これに対して、図２Ｂのように移動局２０４と移動局２０７間に通話が発生する場合には、移動局２０４と基地局２０５、基地局２０６と移動局２０７間のＦＥＲを(ｘ／ｎ)％に設定して、移動局２０４と移動局２０７間の通話品質が(２ｘ／ｎ)％になるようにする。
【００２５】
ここで、前記ｎは任意の定数である。ｎが大きくなると、基地局と移動局間の通話品質は改善されるが、移動局の送信電力が大きくなって、他の使用者の信号に干渉を与えるようになる。このようになると、一つのセル(cell)内の同時使用者の数が減少して全体チャネル容量が減少する問題点がある。もしｎを２にすると、移動局間の通話としても既存の移動局と有線電話間の通話品質と同一な通話品質を得ることができる。即ち、目標とするＦＥＲは前記外部循環電力制御を使用して設定することができる。前記目標とするＦＥＲは受信器の受信装置(vocoder)が収容することができるＦＥＲに従って決定される。一般的に受信器の受信装置(vocoder)は１％のＦＥＲを収容できるので、普通の場合、目標とするＦＥＲを１％ほどに設定する。本発明では移動局間の通話である場合には、目標とするＦＥＲを０．５％以下に設定して、移動局間の通話である場合にも移動局と有線電話間の通話と同一であるか、それ以上の通話品質を得ようとする。
【００２６】
要約して見ると、既存の電力制御方法によると、同一チャネルを使用するサービスオプションである場合には、移動局間の通話であるか、移動局と有線電話間の通話であるかに関わらず、同一な電力制御パラメータ値が割り当てられる。しかし、本発明の実施形態では、同一チャネルを使用するサービスオプションである場合であっても、移動局間の通話である場合と、移動局と有線電話間の通話である場合に従って異なる電力制御パラメータ値を割り当てて、移動局間の通話としても、移動局と有線電話間の通話と同一であるか、それ以上の通話品質を維持するようにする。
【００２７】
下記には上述した事項を遂行するための、本発明の３個の実施形態が記述される。
【００２８】
１番目の実施形態は、基地局が通話形態を決定し、決定された通話形態に対応する電力制御パラメータを移動局に提供し、前記移動局は基地局により提供された前記電力制御パラメータを使用して外部循環電力制御を遂行する装置及び方法である。
【００２９】
２番目の実施形態は、移動局がすでに通話形態に対応する電力制御パラメータを有しており、基地局から提供される通話形態情報に対応する電力制御パラメータを使用して外部循環電力制御を遂行する装置及び方法である。
【００３０】
３番目の実施形態は、前記１番目及び２番目の実施形態とは異なり、使用者が高品質の通話を要求した場合、移動局と基地局間の目標とするＦＥＲを新たに設定し、前記新たに設定されたＦＥＲにより外部循環電力制御を遂行する装置及び方法である。前記３番目の実施形態では移動局と有線電話間の通話としても、使用者の要求に会うように電力制御パラメータ集合を設けて基地局が移動局に提供する方法である。
【００３１】
上述した１番目の実施形態は図７及び図８を参照して詳細に後述され、２番目の実施形態は図９及び図１０を参照して詳細に後述される。
【００３２】
一方、上述したような本発明による実施形態を具現するために、基地局と移動局間のメッセージ伝送方法が定義されるべきであるが、これは基地局と移動局間の号設定のため遂行される通常的な信号処理過程によりなされる。前記基地局と移動局間に伝送されるメッセージは電力制御パラメータを伝送するためのメッセージ、通話形態を知らせるためのメッセージなどに規定され得り、これは具現しようとする実施形態に従って少し差がある。
【００３３】
前記基地局と移動局間の号設定のため遂行される通常的な信号処理過程が図３及び図４に示されている。
【００３４】
先ず、図３は移動局の通話要求により号が設定される信号処理過程を示している。前記図３を参照して移動局の要求により号が設定される過程を説明する。移動局は３０１段階で使用者通話要求信号を感知すると、３０２段階に進行して接近チャネル(access channel)を通じて通話要求メッセージを送信する。この時、前記通話要求メッセージは前記移動局が通話しようとする相手方の電話番号を含む。一方、基地局は前記接近チャネルを通じて通話要求メッセージを受信すると、３０３段階で前記通話要求メッセージに含まれた電話番号を利用して相手方を検索し、通話を要求した移動局の順方向通話チャネルを設定する。前記通話チャネルが設定されると、前記基地局は３０４段階に進行してナルデータ(NULL DATA)を送信する。前記ナルデータはデータの内容はなし、ただ受信信号の通話状態のみを移動局が判断できるように予め約束されたデータを意味する。また、前記基地局は前記ナルデータを送信しつつ、前記通話を要求した移動局に対する順方向通話チャネル設定内容をチャネル割当メッセージに付加してページングチャネル(paging channel)を通じて伝送する(３０５段階)。前記チャネル割当メッセージにはフレームオフセット(frame offset)、ＣＤＭＡチャネル番号、パイロットＰＮコードオフセット、通話チャネルのコード番号、順方向リンクのチャネル状態、逆方向リンクのチャネル状態などに関する情報が含まれる。前記ページングチャネルを通じてチャネル割当メッセージを受信した移動局は、３０６段階で前記チャネル割当メッセージに従って順方向通話チャネルを設定する。
【００３５】
前記順方向通話チャネルが設定されると、前記移動局は３０７段階で前記基地局から順方向通話チャネルを通じて伝送されたナルデータを受信し、連続したＮ個のフレームに誤りがないと、３０８段階に進行して逆方向通話チャネルを通じてフリアンブルを送信する。前記基地局は３０９段階で逆方向通話チャネルを通じて前記移動局から送信された信号を受信すると、３１０段階に進行して前記信号を正しく受信したとのＡＣＫ信号を順方向通話チャネルを通じて伝送する。前記移動局は前記基地局のＡＣＫ信号を受信すると３１１段階で逆方向通話チャネルを通じてナルデータを送信する。上述した動作により順方向リンクと逆方向リンクの通話状態が良好であると判断すると、前記基地局は３１２段階で順方向通話チャネルを通じてサービス連結(service connection)メッセージを伝送し、前記移動局は３１３段階で受信されたサービス連結メッセージの内容に従って通話チャネルに関連されたパラメータを設定した後、前記設定が完了されると、３１４段階に進行してサービス連結完了メッセージを逆方向通話チャネルを通じて前記基地局に伝送する。一方、前記３１２段階乃至３１４段階で、サービスに関する設定が完了されると、前記基地局は３１５段階で通話を所望する相手方を号出していることを知らせるリングバックトーン(ring back tone)メッセージを順方向通話チャネルを通じて伝送する。前記リングバックトーンメッセージを受信した前記移動局は、３１６段階でオーディオ経路を通じてリングバックトーンを発生する。この時、相手方が応答すると、前記基地局は３１７段階でトーンオフメッセージを伝送し、前記移動局は前記リングオフメッセージに応答して３１８段階に進行してリングバックトーンを除去する。このような過程が完了されると、前記移動局と基地局は３１９段階及び３２０段階で通話を遂行するようになる。
【００３６】
上述した動作で、図３の場合、基地局は移動局の通話要求メッセージを受信することによって、移動局が通話しようとする相手方の電話番号を検索する過程を前記３０３段階で遂行するようになるが、この時、前記基地局は電話番号により通話しようとする相手方が移動電話であるか、有線電話であるかを知り得る。
【００３７】
従って、本発明で提示する方法を適用するためには、送信前にこのような情報をサービス連結メッセージに適用させる。すると、前記移動局は前記受信されたサービス連結メッセージにより電力制御パラメータを設定する。この時、前記サービス連結メッセージに適用された情報は、使用されるチャネル、サービスオプションに対する内容、そして移動局間の通話であるか、移動局と有線電話間の通話であるかに従って電力制御パラメータを異なるように設定した内容などを含むことができる。即ち、前記サービス連結メッセージは通話チャネルを設定するのに必要な詳細パラメータを内容とするメッセージを意味し、その例は図５及び図６を参照して後述する。
【００３８】
一方、既存のＩＳ−９５ＡまたはＩＳ−９５Ｂの場合、基地局が逆方向電力制御(Reverse Power Control)と順方向電力制御(Forward Power Control)をすべて遂行するので、移動局に電力制御に関するパラメータを提供する必要がなかった。しかし、３世代移動通信システムのように順方向電力制御を移動局が遂行する場合には、移動局も電力制御に関するパラメータを分かるべきである。従って、基地局は移動局が定まった範囲内のみに電力制御を遂行することができるように電力制御に関するパラメータを提供し、このためのデータが必要である。
【００３９】
次に、図４は基地局が通話を要請する場合、移動局と基地局間の号設定のため遂行される通常的な信号処理過程の一例を示したものである。前記図４を参照すると、基地局は４０１段階でページングチャネルを通じて一般的なページングメッセージを移動局に伝送し、移動局は４０２段階で接近チャネルを通じて前記ページングメッセージに応答したページング応答メッセージを伝送する。この時、基地局が移動局と通話チャネルを連結すべきである場合には、４０３段階で順方向通話チャネルを設定し、４０４段階で前記順方向通話チャネルを通じてナルデータを送信した後、４０５段階に進行してチャネル割当メッセージをページングチャネルを通じて伝送する。前記チャネル割当メッセージの内容は図３を参照した説明と同じである。前記移動局は４０６段階でチャネル割当メッセージに従って順方向通話チャネルを設定し、４０７段階で基地局が送信したナルデータをＮフレーム間に誤りなし受信するようになると、４０８段階に進行して逆方向通話チャネルを通じてフリアンブルを送信する。前記ナルデータに対する詳細な内容も前記図３を参照した説明と同じである。前記基地局は４０９段階で逆方向通話チャネルを獲得すると、４１０段階に進行して逆方向通話チャネルを獲得したとのＡＣＫ信号を送信する。前記移動局はＡＣＫ信号を受信すると、４１１段階に進行してナルデータを逆方向通話チャネルを通じて送信する。
【００４０】
この時、逆方向リンクと順方向リンクのチャネル状態が良好であると判断されると、前記基地局は４１２段階で順方向通話チャネルを通じてサービス連結メッセージを伝送する。前記サービス連結メッセージを受信した移動局は、４１３段階でサービスオプションに従って逆方向の通話チャネルを設定し、４１４段階に進行してサービス連結完了メッセージを送信する。前記基地局は移動局から伝送されたサービス連結メッセージを通じて通話チャネルを割り当てたとのメッセージを受信すると、４１５段階に進行して相手方が号出されていることを知らせるためのリング(リングバックトーン)メッセージを順方向通話チャネルを通じて伝送する。一方、前記メッセージを受信した前記移動局は４１６段階に進行して相手方が号出されていることを使用者に知らせるためのリング(リングバックトーン)を発生する。この時、４１７段階で移動局の使用者が応答するようになると、前記移動局は４１８段階に進行して鳴らしているリングを停止させた後、４１９段階に進行して逆方向通話チャネルを通じて連結命令を送信する。このような過程が完了されると、４２０段階及び４２１段階により基地局と移動局間の通話がなされる。
【００４１】
上述した図４の場合、通話を要求した使用者が異なるシステムに属しているとしても、基地局通話を要求した使用者の電話番号を知り得るので、基地局が移動局に通話チャネルを割り当てる前に、基地局はすでに移動局間の通話であるか、移動局と有線電話間の通話であるかを知っている。従って、サービス連結メッセージを伝送する時、使用するチャネル、サービスオプション、そして移動局間の通話であるか、移動局と有線電話間の通話であるかに関する情報を伝送するか、それともこれに適切な電力制御パラメータを設定して伝送する。
【００４２】
一方、上述したように本発明の実施のためには基地局と移動局間に電力制御のための情報を公有すべきであり、これに従って、電力制御情報を伝送するための方法が定義されるべきである。
【００４３】
図５及び図６は本発明の実施のため使用されるサービス連結メッセージの構成を示している。この時、前記図５及び図６は北米標準案に提示されたサービス連結メッセージの内容と割り当てられたビットを例に挙げて示したものである。ここでは本発明と関係ない部分は説明しない。
【００４４】
前記図５はサービス連結メッセージの全体構造を示したものであり、ここでタイプ詳細領域(Type-specific fields)５０１に対する内容が本発明と関連がある。前記タイプ詳細領域５０１に対する詳細な構成は図６を参照する。図６では順方向及び逆方向リンクのデータレート(data rate)、ゲーティングレート(gating rate)、電力制御パラメータなどに構成されているが、本発明では６０１乃至６０８までの電力制御パラメータに関する事項のみを使用するので、該当電力制御パラメータに関する事項のみを説明する。基本チャネル外部循環電力制御設定領域(ＦＰＣ_ＯＬＰＣ_ＦＣＨ_ＩＮＣＬ)６０１は基本チャネルに順方向電力制御をするために、外部循環電力制御をするかを設定する部分である。基本チャネル目標ＦＥＲ設定領域(ＦＰＣ_ＦＣＨ_ＦＥＲ)６０２は基本チャネルに順方向電力制御をするために、外部循環電力制御を使用する場合、目標とするＦＥＲを設定する部分である。基本チャネル最小値設定領域(ＦＰＣ_ＭＩＮ_ＦＣＨ_ＳＥＴＰＴ)６０３は、基本チャネルに順方向電力制御をするために、外部循環電力制御を使用する場合の最小値を記録する領域を示し、基本チャネル最大値設定領域(ＦＰＣ_ＭＡＸ_ＦＣＨ_ＳＥＴＰＴ)６０４は基本チャネルに順方向電力制御をするために、外部循環電力制御を使用する場合の最大値を示す。
【００４５】
６０５乃至６０８までは専用制御チャネルの外部循環電力制御に関する事項を設定するもので、専用制御チャネル外部循環電力制御設定領域(ＦＰＣ_ＯＬＰＣ_ＤＣＣＨ_ＩＮＣＬ)６０５は専用制御チャネルに順方向電力制御をするために外部循環電力制御をするかを設定する部分であり、専用制御チャネル目標ＦＥＲ設定領域(ＦＰＣ_ＤＣＣＨ_ＦＥＲ)６０６は専用制御チャネルに順方向電力制御をするために外部循環電力制御を使用する場合、目標とするＦＥＲを設定する部分である。専用制御チャネル最小値設定領域(ＦＰＣ_ＭＩＮ_ＤＣＣＨ_ＳＥＴＰＴ)６０７は専用制御チャネルに順方向電力制御をするために外部循環電力制御を使用する場合の最小値を示し、専用制御チャネル最大値設定領域(ＦＰＣ_ＭＡＸ_ＤＣＣＨ_ＳＥＴＰＴ)６０８は最大値を示す。
【００４６】
サービス連結メッセージの構造を図５及び図６のように構成する場合、基地局は使用されるチャネル、サービスオプション、移動局間の通話である場合と、移動局と有線電話間の通話である場合などを考慮した通話形態に従って、前記目標とするＦＥＲを設定するＦＰＣ_ＦＣＨ_ＦＥＲ６０２とＦＰＣ_ＤＣＣＨ_ＦＥＲ６０６を設定し、これによって送信電力の最大値と最小値を決定するＦＰＣ_ＭＩＮ_ＦＣＨ_ＳＥＴＰＴ６０３、ＦＰＣ_ＭＡＸ_ＦＣＨ_ＳＥＴ６０４、ＦＰＣ_ＭＩＮ_ＤＣＣＨ_ＳＥＴＰＴ６０７、ＦＰＣ_ＭＩＮ_ＤＣＣＨ_ＳＥＴＰＴ６０８をそれぞれ異なるように設定することができる。
【００４７】
一方、上述した事項は本発明の一実施形態によるサービス連結メッセージの構成を定義しているが、本発明の他の実施形態によるサービス連結メッセージの構成を上述した構成とは相異なるように具現することができる。即ち、基地局はページングチャネルを通じて伝送されるチャネル割当メッセージに、前記６０２乃至６０４及び６０６乃至６０８のパラメータに該当する、使用されるチャネルの種類、サービスオプション、移動局間の通話であるか、移動局と基地局間の通話であるかなどに対応する複数個の電力制御パラメータに対する情報を付加して知らせ、前記サービス連結メッセージには６０１、６０５のパラメータと共に移動局間の通話であるか、移動局と有線電話間の通話であるかなどの通話形態をメッセージ形態に知らせると、移動局が前記メッセージに適切なパラメータを設定して電力制御を遂行することができる。
【００４８】
上述したように、本発明では３種類の実施形態を提示したが、以下、本発明の第１実施形態を図７及び図８を参照し、本発明の第２実施形態は図９及び図１０を参照して説明する。また、本発明の第３実施形態は図１１を参照して説明する。この時、前記図７乃至図１１は本発明を説明するための最小限の過程のみを示しているのに注意すべきである。また、本発明を説明することにおいて、移動局及び基地局は同一な移動通信システムに含まれる構成であることは自明であろう。
【００４９】
＜第１実施形態＞
先ず、図７及び図８を参照して本発明の第１実施形態による動作を詳細に説明する。前記本発明の第１実施形態は、上述したように基地局が電力制御パラメータ値を選択し、前記電力制御パラメータ値を移動局に提供することにより電力制御を遂行する方法である。これを具現するためには、基地局が現在の通話形態を判断し、これに対応する電力制御パラメータ値を選択して移動局に提供する機能を有すべきであり、移動局は基地局から提供される電力制御パラメータ値に従って外部循環電力制御を遂行する機能を有すべきである。また、前記電力制御パラメータ値を伝送するためのメッセージと伝送方法に対する具現がなされるべきである。
【００５０】
前記図７は本発明の第１実施形態による基地局の電力制御動作を示した図である。前記図７を参照して基地局の動作を説明すると、基地局は通話要求を受信すると、７１０段階で移動局間の通話であるかを判断する。前記移動局間の通話であると判断することは、図３の３０１段階で開示しているように移動局使用者から発生する通話要求、または有線電話から発生される移動局への通話要求によりなされる。このような通話要求が発生すると、前記基地局は相手方の電話番号を分析して、前記通話要求が移動局間の通話要求であるか、それとも移動局と有線電話間の通話要求であるか判断するようになる。
【００５１】
前記７１０段階で移動局間の通話要求であると判断されると、前記基地局は７１４段階に進行して移動局間の通話用電力制御パラメータ値を選択し、移動局と有線電話間の通話要求であると判断されると、前記基地局は７１２段階に進行して一般的な電力制御パラメータ値を選択する。前記一般的な電力制御パラメータ値は、従来の移動通信システムが外部循環電力制御のため選択する電力制御パラメータ値を意味する。前記通話形態に従って電力制御パラメータ値を選択するために、前記基地局の内部メモリは通話形態に従う電力制御パラメータを区分して貯蔵する。即ち、前記基地局の内部メモリは移動局間の通話による電力制御パラメータ値と、移動局と有線電話間の通話による電力制御パラメータ値を区分して貯蔵すべきである。また、前記電力制御パラメータは前記図５及び図６に示したような構成を有する。
【００５２】
前記７１２段階、または前記７１４段階で電力制御パラメータ値が選択されると、前記基地局は７１６段階に進行して前記選択された電力制御パラメータ値をサービス連結メッセージに適用する。一方、前記サービス連結メッセージに適用させるとは、上述したように使用されるチャネル、サービスオプションに対する内容、及び移動局間の通話であるか、移動局と有線電話間の通話であるかに関する情報であることもでき、使用されるチャネル、サービスオプション及び移動局間の通話であるか、移動局と有線電話間の通話であるかに従って電力制御パラメータを異なるように設定した内容であることもできる。前記サービス連結メッセージに適用が完了されると、前記基地局は７１８段階で前記サービス連結メッセージを伝送する(図３の３１２段階、図４の４１２段階)。前記７１８段階でサービス連結メッセージの伝送が完了されると、前記基地局は７２０段階に進行して通話を始める。
【００５３】
一方、前記通話が始まると、前記基地局は７２２段階に進行して電力制御を遂行するために電力制御グループの境界に到達したかを監視する。この時、前記電力制御グループの境界は電力測定のため一つのフレームに含まれた電力制御グループの境界を意味する。もし、前記７２２段階で電力制御グループの境界に到達しないと判断されると、待ち続け、そうでなく、電力制御グループの境界に到達したと判断されると、前記基地局は７２４段階に進行する。前記７２４段階に進行した前記基地局は受信フレームの電力制御グループに従うＳＮＲを測定してスレショルドと比較する。この時、前記７２４段階で測定されたＳＮＲがスレショルドより低いと判断されると、前記基地局は７２６段階に進行して送信電力を上げろとの命令を伝送する。そうでなく、前記７２４段階で受信信号のＳＮＲがスレショルドより高いと判断されると、前記基地局は７２８段階に進行して送信電力を下げろとの命令を送信する。
【００５４】
前記７２６段階、または７２８段階で電力制御命令を伝送した基地局は、７３０段階に進行して現在処理している信号がフレームの境界に到達したかを確認する。前記フレームの境界は現在受信されるフレームと次のフレームの境界を意味するもので、現在フレームの伝送端を感知する。前記７３０段階で現在処理している信号がフレームの境界に到達しなかったら、前記基地局は前記７２２段階に戻って電力制御グループが境界に到達したかを再確認する。しかし前記７３０段階で現在処理している信号がフレームの境界に到達したら、前記基地局は７３２段階に進行して前記フレームに対して誤り検査を遂行して誤りが発生したかを確認する。前記７３２段階で誤りが発生しなかったら、前記基地局は７３４段階に進行してスレショルドの下降レベルによりスレショルドを下げる。
【００５５】
しかし、前記７３２段階で誤りが発生したら、前記基地局は７３６段階に進行してスレショルドの上昇レベルに従ってスレショルドを増加させる。即ち、誤りが感知されると、スレショルドを設定された上昇レベルだけ増加し、誤りが感知されないと、下降レベルだけ減少させる。例えば、前記電力制御パラメータ値を構成するＦＥＲが１％であり、スレショルドを上げるレベルが０．５dBであると、スレショルドを下げるレベルは(０．５/９９)dBに決定される。このように前記スレショルドの下降レベル及び上昇レベルは、通話の形態(移動局間の通話、または移動局と有線電話間の通話)、使用されるチャネルの種類、サービスオプションにより決定される電力制御パラメータ値により決定される。前記基地局は前記７３４段階、または７３６段階でスレショルドを調節した後、７３８段階に進行して通話が終了されたかを確認する。前記７３８段階で通話が終了されたと判断されると通話を終了し、通話が終了されていないと前記７２２段階に戻って電力制御グループの境界に到達したかを確認する過程を再遂行する。
【００５６】
上述したように前記７２２乃至７２８段階により遂行される過程は、閉ループ電力制御のための過程を開示しており、前記７３０乃至７３６段階により遂行される過程は、外部循環電力制御のための過程を開示している。前記上昇レベル及び下降レベルはサービス設定メッセージを受信するようになると、目標とするＦＥＲが分かることができ、前記ＦＥＲを利用して設定することができる。
【００５７】
図８は本発明の第１実施形態による移動局の電力動作手順を示した図であり、前記図８を参照すると、通話要求による動作を遂行した後、移動局は８１０段階でサービス連結メッセージを受信する。図７の７１０段階乃至７１８段階に開示したように、前記サービス連結メッセージは基地局から伝送され、電力制御パラメータを含む。前記サービス連結メッセージを受信すると、前記移動局は８１２段階に進行して前記サービス連結メッセージに従って通話チャネルを設定した後、８１４段階で前記基地局との通話を始める。一方、前記通話が始まった後、前記移動局が遂行する８１６段階乃至８３２段階は、上述した図７の７２２段階乃至７３８段階で遂行される外部循環電力制御及び閉ループ電力制御を遂行する過程と同一である。即ち、外部循環電力制御と閉ループ電力制御を組み合わせて使用する過程である。もちろん、この時、外部循環電力制御は前記サービス連結メッセージを通じて提供された電力制御パラメータにより遂行される。従って、前記図８の８１６段階乃至８３２段階に対する具体的な動作説明は省略する。
【００５８】
従って、前記図７及び図８を参照して開示した本発明の第１実施形態は、基地局が移動局に電力制御パラメータを伝送する方式である。前記移動局は前記電力制御パラメータを受信し、それに従って動作するので、既存の電力制御方式を変更なし使用することができる。しかし、本発明で具現している外部循環電力制御はサービス連結メッセージの外部循環電力制御が設定されたか否かに関する情報により遂行するか否かが決定される。即ち、前記外部循環電力制御が設定されたか否かに関する情報により外部循環電力制御を遂行するか、しないことができる。
【００５９】
一方、図３のチャネル割当メッセージは通話チャネルを設定するのに必要な情報のみを内容とするメッセージを意味し、前記サービス連結メッセージは通話チャネルを設定するのみに必要な細部パラメータを内容とするメッセージを意味する。
【００６０】
＜第２実施形態＞
次に、図９及び図１０を参照して本発明の第２実施形態を詳細に説明すると次のようである。前記本発明の第２実施形態は、基地局が移動局にサービス連結メッセージを伝送する前にすべての電力制御パラメータを伝送するか、前記移動局が予めすべての電力制御パラメータを有している状態で、基地局がサービス連結メッセージを通じて移動局間の通話であるか、移動局と有線電話間の通話であるかを知らせるメッセージを移動局に伝送して電力制御を遂行する方法である。前記電力制御パラメータは例えばページングチャネル(paging channel)や同期チャネル(synch channel)を利用して伝送され得る。これを具現するためには基地局は現在の通話形態を判断して、これを移動局に提供する機能を有すべきであり、移動局は基地局から提供される通話形態に従って該当電力制御パラメータ値を求めて外部循環電力制御を遂行する機能を有すべきである。このためには前記移動局はそれぞれの通話形態に対応する電力制御パラメータ値が予め貯蔵されている内部メモリを含み、前記通話形態を提供するためのメッセージと伝送方法に対する具現が必要である。また、上述したように本実施形態を具現するためには移動局の内部メモリに予め電力制御パラメータ値を貯蔵する方法に対する具現も必要である。
【００６１】
前記図９は本発明の第２実施形態による基地局の電力制御手順を示した図である。前記図９を参照すると、基地局は９００段階でページングチャネルを利用して移動局に電力制御メッセージを伝送し、通話要求を受信すると、９１０段階で移動局間の通話要求であるかを判断する。前記電力制御メッセージは移動局でサービスされるすべての通話形態に対応する電力制御パラメータ値を伝送するために定義されるメッセージを意味する。前記９１０段階で移動局間の通話要求であると判断されると、前記基地局は９１４段階に進行して通話形態が移動局間の通話であることを表示し、移動局と有線電話間の通話要求であると判断すると、前記基地局は９１２段階に進行して通話形態が移動局と有線電話間の通話であることを表示する。前記９１２段階、または前記９１４段階で現在の通話形態を表示した後、前記基地局は９１６段階に進行して前記表示された通話形態を指定する情報と共に、外部循環電力制御の設定を要求する情報をサービス連結メッセージに適用する。前記通話形態を指定する情報はサービス連結メッセージに付加して伝送するが、電力制御パラメータを伝送する図6の６０２、６０３、６０４、６０６、６０７及び６０８部分の代わりに移動局間の通話であるか、移動局と基地局間の通話であるかを指定する内容を加える。
【００６２】
前記サービス連結メッセージに適用が完了されると、前記基地局は９１８段階で前記サービス連結メッセージを伝送する(図３の３１２段階、図４の４１２段階)。前記９１８段階でサービス連結メッセージの伝送が完了されると、前記基地局は９２０段階に進行して通話を始める。一方、前記通話が始まった後、前記基地局が遂行する９２２段階乃至９３８段階は、上述した図７の７２２段階乃至７３８段階と同一な過程に外部循環電力制御と閉ループ電力制御を遂行する。即ち、外部循環電力制御と閉ループ電力制御を混合して使用する過程である。従って、前記９２２段階乃至９３８段階は図７の７２２段階乃至７３８段階による詳細な説明を参照する。この時、外部循環電力制御も前記９１０段階の判断結果に対応する電力制御パラメータ値により遂行され、前記電力制御パラメータ値は前記基地局の内部メモリに貯蔵される。
【００６３】
図１０は本発明の第２実施形態による移動局の電力制御手順を示した図である。前記図１０を参照すると、移動局は１０００段階でページングチャネルを通じて使用するチャネル、サービスオプション、移動局間の通話であるか、移動局と基地局間の通話であるかを区分する通話形態に対応するすべての電力制御パラメータを受信する。以後、前記移動局は１０１０段階でサービス連結メッセージを受信する。前記サービス連結メッセージは図９の９１０段階乃至９１８段階で、基地局から伝送されるサービス連結メッセージであり、前記サービス連結メッセージは現在の通話形態と外部循環電力制御を設定するかを決定する情報を含む。前記サービス連結メッセージを受信すると、前記移動局は１０１２段階に進行して前記サービス連結メッセージの通話形態の情報により現在通話形態を判断する。前記１０１２段階で現在通話形態が移動局間の通話であると判断されると、前記移動局は１０１６段階に進行して内部メモリに貯蔵された対応する電力制御パラメータ値を読み出す。この時、読み出される電力制御パラメータは移動局間の通話に対応して貯蔵された電力制御パラメータである。一方、前記１０１２段階で現在の通話形態が移動局と有線電話間の通話であると判断されると、前記移動局は１０１４段階に進行して内部メモリに貯蔵された電力制御パラメータ値を読み出す。この時、読み出される電力制御パラメータの値は、移動局と有線電話間の通話に対応して貯蔵された電力制御パラメータである。前記電力制御パラメータ値が決定されると、前記移動局は基地局との通話チャネルを設定した後、１０１８段階で通話を始める。
【００６４】
一方、前記移動局は通話の進行中、１０２０段階乃至１０３６段階で、前記１０１４段階及び前記１０１６段階で決定された電力制御パラメータ値により外部循環電力制御と閉ループ電力制御を混合した電力制御を遂行する。前記移動局が１０２０段階乃至１０３６段階で遂行する電力制御過程は、図７の７２２段階乃至７３８段階と同一であるので、具体的な説明は省略する。また、本発明の第２実施形態では移動局が外部循環電力制御のため要求される電力制御パラメータ値を基地局から受信する構成を示したが、移動局と基地局が同一な電力制御パラメータ値を使用することに約束した場合には、固定した電力制御パラメータ値を予め内部メモリに貯蔵して使用することもできる。
【００６５】
＜第３実施形態＞
図１１は本発明の第３実施形態による基地局の電力制御手順を示した図である。前記図１１を参照すると、電力制御パラメータを設定する過程は前記第１実施形態と同一である。従って、第３実施形態を具現するためには第２実施形態のような方法に電力制御パラメータを設定してもよいが、本発明では第１実施形態を使用して電力制御パラメータを伝送する方法のみを前提に説明する。また、第３実施形態を実現するための基地局の内部メモリは、移動局間の通話による電力制御パラメータ値と、移動局と有線電話間の通話による電力制御パラメータ値を高品質の通話と一般的な通話に対応して区別されるように貯蔵する。この時、前記一般的な通話は上述した第１実施形態及び第２実施形態の通話形態を意味し、前記高品質の通話は第１実施形態及び２実施形態の一般的な通話形態に比べて通話品質が向上した通話を意味する。
【００６６】
前記図１１を参照して基地局の動作を説明すると、通話要求による動作を遂行した後、基地局は１１１０段階で移動局間の通話であるか、移動局と有線電話間の通話であるかを確認する。前記確認過程で移動局間の通話であると確認されると、前記基地局は１１１８段階に進行して移動局使用者から供給される高品質の通話要求が受信されたかにより高品質の通話を要求するか、一般的な通話を要求するかを確認する。前記高品質の通話要求は移動局に設けられた特定キー入力によるキーコードに予め定義されるべきである。前記１１１８段階で一般的な通話要求に確認される場合には、前記基地局は１１２０段階に進行して移動局間の一般的な通話に対する電力制御パラメータ値を選択する。これに対して、前記１１１８段階で高品質の通話要求に確認される場合には、移動局間の高品質の通話に対する電力制御パラメータ値を選択する。
【００６７】
しかし、前記１１１０段階の確認過程で移動局と有線電話間の通話であると確認されると、前記基地局は１１１２段階に進行して移動局使用者から供給された高品質の通話要求を受信したか否かにより、高品質の通話を要求するか、一般的な通話を要求するかを確認する。もし、使用者が高品質の通話を要求すると、前記基地局は１１１６段階に進行して高品質の通話ができるように移動局と有線電話間の通話による電力制御パラメータ値を選択する。これに対して、一般的な通話を要求する場合には、１１１４段階に進行して一般的な通話ができるように移動局と有線電話間の通話による電力制御パラメータ値を選択する。
【００６８】
前記１１１４段階、１１１６段階、１１２０段階及び１１２２段階で使用する電力制御パラメータ値が選択されると、前記基地局は１１２４段階に進行して前記選択された電力制御パラメータ値をサービス連結メッセージに適用する。すると、前記基地局は１１２６段階に進行して前記サービス連結メッセージを移動局に伝送する。一方、電力制御パラメータ値が選択されると、前記基地局は１１２８段階で通話を始め、１１３０段階及び１１３２段階で前記選択された電力制御パラメータ値により閉ループ電力制御と外部循環電力制御を遂行する。前記閉ループ電力制御と前記外部循環電力制御は上述した図７乃至図１０を参照して説明した第１実施形態及び第２実施形態と同一な動作により遂行されるので、動作に対する詳細な説明は省略する。
【００６９】
＜基地局の構成＞
上述した第１乃至第３実施形態を具現するためには、従来と異なるように基地局が構成されるべきである。図１２は第１実施形態乃至第３実施形態に対する基地局の構成を示したものであり、図１３は図１２のメモリ１２１２の内部構成を詳細に示したものである。第１実施形態、または第３実施形態の場合、基地局の制御器１２１０はサービス連結メッセージを伝送する時、ページングメッセージと電力制御パラメータが図１３の構造に貯蔵されているメモリ１２１２に接続して、使用するチャネル、サービスオプション、移動局間の通話であるか、移動局と有線電話間の通話であるかを区分する通話形態などの情報を読み出す。さらに、前記読み出された情報に対応するサービス連結メッセージをメッセージ発生器１２１４を通じて発生させ伝送する構造である。また、第２実施形態の場合、基地局制御器１２１０がページングチャネルを通じて移動局にメッセージを伝送する時、前記図１３のメモリ１２１２に貯蔵されたすべての電力制御パラメータ値と一般的なページングメッセージパラメータ値をページングチャネルを通じて伝送し、サービス連結メッセージを伝送する時は、移動局間の通話であるか、移動局と有線電話間の通話であるかに関する情報のみを提供する構造である。
【００７０】
前記メモリ１２１２の詳細構造は図１３に詳細に示されており、前記図１３を参照してメモリ１２１２の各領域に対して説明すると、ＮＯＲＭ_ＦＰＣ_ＦＣＨ_ＦＥＲ_Ｍ_Ｌは移動局と有線電話間の通話である場合、一般的な順方向基本チャネルの目標とするＦＥＲを示す。ＮＯＲＭ_ＭＩＮ_ＦＰＣ_ＦＣＨ_ＳＥＴＰＴ_Ｍ_Ｌは移動局と有線電話間の通話である場合、一般的な順方向基本チャネルの最小電力を示し、ＮＯＲＭ_ＭＡＸ_ＦＰＣ_ＦＣＨ_ＳＥＴＰＴ_Ｍ_Ｌは移動局と有線電話間の通話である場合、一般的な順方向基本チャネルの最大電力を示す。ＮＯＲＭ_ＦＰＣ_ＦＣＨ_ＦＥＲ_Ｍ_Ｍは移動局間の通話である場合、一般的な順方向基本チャネルの目標とするＦＥＲを示す。ＮＯＲＭ_ＭＩＮ_ＦＰＣ  _ＦＣＨ_ＳＥＴＰＴ_Ｍ_Ｍは移動局間の通話である場合、一般的な順方向基本チャネルの最小電力を示し、ＮＯＲＭ_ＭＡＸ_ＦＰＣ_ＦＣＨ_ＳＥＴＰＴ_Ｍ_Ｍは移動局間の通話である場合、一般的な順方向基本チャネルの最大電力を示す。ＨＩＧＨ_ＦＰＣ_ＦＣＨ_ＦＥＲ_Ｍ_Ｌは移動局と有線電話間の通話である場合、高品質の順方向基本チャネルの目標とするＦＥＲを示す。
【００７１】
ＨＩＧＨ_ＭＩＮ_ＦＰＣ_ＦＣＨ_ＳＥＴＰＴ_Ｍ_Ｌは移動局と有線電話間の通話である場合、高品質の順方向基本チャネルの最小電力を示し、ＨＩＧＨ_ＭＡＸ_ＦＰＣ_ＦＣＨ_ＳＥＴＰＴ_Ｍ_Ｌは移動局と有線電話間の通話である場合、高品質の順方向基本チャネルの最大電力を示す。ＨＩＧＨ_ＦＰＣ_ＦＣＨ_ＦＥＲ_Ｍ_Ｍは移動局間の通話である場合、高品質の順方向基本チャネルの目標とするＦＥＲを示す。ＨＩＧＨ_ＭＩＮ_ＦＰＣ_ＦＣＨ_ＳＥＴＰＴ_Ｍ_Ｍは移動局間の通話である場合、高品質の順方向基本チャネルの最小電力を示し、ＨＩＧＨ_ＭＡＸ_ＦＰＣ_ＦＣＨ_ＳＥＴＰＴ_Ｍ_Ｍは移動局間の通話である場合、高品質の順方向基本チャネルの最大電力を示す。Ｃａｌｌ_Ｔｙｐｅ_Ｉｎｄｅｘは第２実施形態を使用する場合に必要な領域であり、第１実施形態の場合には使用しない。Ｃａｌｌ_Ｔｙｐｅ_Ｉｎｄｅｘは移動局間の通話であるか、移動局と有線電話間の通話であるかを知らせる情報を含む。
【００７２】
＜移動局の構成＞
図１４は第２実施形態に対する移動局の構成を示した図である。第１実施形態の場合、通常的な移動局の構成と同一な構造を有するので、詳細な説明は省略する。図１５は図１４のメモリ１４１４の詳細な構成を示したものである。第２実施形態で、基地局はページングチャネルを通じて電力制御に関するすべてのパラメータを移動局に伝送するので、移動局は前記電力制御に関するすべてのパラメータをメモリ１４１４に貯蔵する。そして、基地局が移動局間の通話であるか、移動局と有線電話間の通話であるかを知らせる通話形態情報(Call_Type_Index)を含むサービス連結メッセージを伝送すると、制御器１４１２は前記通話形態に関するメッセージに従ってメモリ１４１４に貯蔵されている電力制御パラメータ中に対応するパラメータを電力制御装置１４１６に伝送して電力制御を遂行し、前記電力制御により発生する電力制御命令を送信器１４１８を通じて伝送する。前記電力制御装置１４１６は電力制御パラメータを受信し、図１０の１０２０段階乃至１０３６段階を遂行するために使用する。
【００７３】
【発明の効果】
上述したように、ＣＤＭＡ移動通信システムで既存の方法のように電力制御を遂行する場合、移動局間の通話は、移動局と有線電話間の通話に比べて通話品質が低下されることが分かる。従って、本発明の電力制御装置及び方法をＣＤＭＡ移動通信システムに適用するようになると、移動局間の通話としても移動局と有線電話間の通話に比べて通話品質が低下しない利点がある。
【００７４】
一方、音声のみをやり取りする場合には既存の電力制御方式を使用しても、音質低下の問題はなかったが、移動局間の画像電話をするか、データをやり取りする状況では通話品質が低下し、容量上の問題に拡大される恐れがある。従って、本発明の電力制御装置及び方法を適用する場合には、同じチャネルを使用し、同じサービスオプションである場合であっても、移動局間の通話であるか、移動局と有線電話間の通話であるかに従って、相異なる電力制御パラメータを有し、通話チャネルを設定すると、前記移動局間の画像電話をするか、データをやり取りする状況であっても、移動電話と有線電話間の通話に比べて通話品質が低下しない利点がある。なお、本発明は移動局の使用者により所望する通話品質を選択するようにすることにより使用者の便利を向上させる効果がある。
【００７５】
以上、本発明の特定の実施例を参照して説明したが、各種の変形が前記の特許請求の範囲により決められる本発明の思想及び範囲を逸脱しない限り、当該技術分野における通常の知識を持つ者により可能なのは明らかである。特に、上述した本発明の実施形態はＴＩＡ(Telecommunication Industry Association)で規定していることを前提に説明したが、本発明をＷ−ＣＤＭＡ(Wideband CDMA)に適用する場合に適切な変更が必要であることは自明であろう。例えば、本発明の第２実施形態ではページングチャネルを通じて電力制御パラメータ値を伝送することに示したが、Ｗ−ＣＤＭＡでは順方向接近チャネルを通じてメッセージを伝送する。
【図面の簡単な説明】
【図１】  図１Ａは、通常的な電力制御方式を使用する場合、移動局と有線電話間の通話を簡略に示した図であり、図１Ｂは、通常的な電力制御方式を使用する場合、移動局間の通話を簡略に示した図である。
【図２】  図２Ａは、本発明の実施形態による電力制御方式を使用する場合、移動局と有線電話間の通話を簡略に示した図であり、図２Ｂは、本発明の実施形態による電力制御方式を使用する場合、移動局間の通話を簡略に示した図である。
【図３】  本発明の実施形態による移動局の通話要求により、号を成立させるための信号処理過程を示した図である。
【図４】  本発明の実施形態による基地局の通話要求により、号を成立させるための信号処理過程を示した図である。
【図５】  本発明の実施形態によるサービス連結メッセージの全体構造を示した図である。
【図６】  図５で開示しているタイプ詳細領域(Type-specific fields)の詳細構造を示した図である。
【図７】  本発明の第１実施形態による基地局により遂行される電力制御手順を示した流れ図である。
【図８】  本発明の第１実施形態による移動局により遂行される電力制御手順を示した流れ図である。
【図９】  本発明の第２実施形態による基地局により遂行される電力制御手順を示した流れ図である。
【図１０】  本発明の第２実施形態による移動局により遂行される電力制御手順を示した流れ図である。
【図１１】  本発明の第３実施形態による基地局により遂行される電力制御手順を示した流れ図である。
【図１２】  図７及び図９の制御手順を遂行するための基地局の構成を示した図である。
【図１３】  図１２に示したメモリの詳細構成を示した図である。
【図１４】  図１０の制御手順を遂行するための移動局の構成を示した図である。
【図１５】  図１４に示したメモリの詳細構成を示した図である。
【符号の説明】
移動局              ２０１、２０４、２０５、２０７
基地局              ２０２、２０６
有線電話            ２０３
制御器              １２１０、１４１２
メモリ              １２１２、１４１４
メッセージ発生器    １２１４
電力制御装置        １４１６
送信器              １４１８
【図１Ａ】
0003640922.tif 000002
【図１Ｂ】
0003640922.tif 000003
【図２Ａ】
0003640922.tif 000004
【図２Ｂ】
0003640922.tif 000005
【図３】
0003640922.tif 000006
【図４】
0003640922.tif 000007
【図５】
0003640922.tif 000008
【図６】
0003640922.tif 000009
【図７】
0003640922.tif 000010
【図８】
0003640922.tif 000011
【図９】
0003640922.tif 000012
【図１０】
0003640922.tif 000013
【図１１】
0003640922.tif 000014
【図１２】
0003640922.tif 000015
【図１３】
0003640922.tif 000016
【図１４】
0003640922.tif 000017
【図１５】
0003640922.tif 000018